(57)【要約】  投光器は、光源と、光源を支持する支持部材と、支持部材の表面に気流を生成して光源を冷却するファンと、を備える。光源は、支持部材の前面に支持され、支持部材の前方に光を射出する。ファンは、支持部材の後方において、支持部材と対向する位置に配置される。
2019017249.tif 000002
【特許請求の範囲】
【請求項１】
光源と、
前記光源を支持する支持部材と、
前記支持部材の表面に気流を生成して前記光源を冷却するファンと、
を備え、
前記光源は、前記支持部材の前面に支持され、前記支持部材の前方に光を射出し、
前記ファンは、前記支持部材の後方において、前記支持部材と対向する位置に配置される、
投光器。
【請求項２】
前記光源、前記支持部材、及び前記ファンが収容される内部空間を有する筐体と、
前記内部空間を第１内部空間と第２内部空間とに区画する壁部と、を備え、
前記光源及び前記支持部材は、前記第１内部空間に配置され、
前記ファンは、前記第２内部空間に配置され、
前記筐体は、前記第１内部空間と外部空間とを結ぶ第１通気口と、前記第２内部空間と前記外部空間とを結ぶ第２通気口と、を有し、
前記壁部は、前記第１内部空間と前記第２内部空間とを結ぶ開口を有し、
前記ファンは、前記開口を介して前記支持部材と対向する、
請求項１に記載の投光器。
【請求項３】
前記支持部材は、前記光源を駆動する駆動回路を有し前記光源を支持する制御基板と、前記制御基板に接触する放熱部材と、を含み、
前記ファンは、前記放熱部材の表面に気流を生成する、
請求項２に記載の投光器。
【請求項４】
前記光源は、前記制御基板の前面に配置され、
前記放熱部材は、前記制御基板の後方において、前記制御基板に接触するように配置され、
前記ファンは、前記放熱部材と対向する位置に配置される、
請求項３に記載の投光器。
【請求項５】
前記放熱部材は、前記制御基板に接触する支持板と、前記支持板の後面に支持され前記支持板から後方に突出するフィンと、を有し、
前記フィンは、前記支持板の後面と平行な所定面内の第１方向に延在するプレート状であり、前記第１方向と直交する前記所定面内の第２方向に複数設けられ、
複数の前記フィンのそれぞれは、前記第２方向に貫通する貫通孔を有し、
前記第１通気口は、前記第１方向において前記フィンの一方側及び他方側のそれぞれに設けられ、前記第２方向において前記フィンの一方側及び他方側のそれぞれに設けられる、
請求項４に記載の投光器。
【請求項６】
前記支持部材の温度を検出する温度センサと、
前記温度センサの検出信号に基づいて、前記ファンの駆動状態を制御するファン制御部と、
を備える請求項１から請求項５のいずれか一項に記載の投光器。
【請求項７】
前記ファン制御部は、前記支持部材の温度が温度閾値以上のときに前記ファンを駆動し、前記支持部材の温度が温度閾値未満のときに前記ファンを停止する、
請求項６に記載の投光器。
【請求項８】
前記光源の発光状態の調整のために操作される操作装置と、
前記操作装置の操作量に基づいて、前記発光状態を制御する発光状態制御部と、
前記操作装置の操作量に基づいて、前記ファンの駆動状態を制御するファン制御部と、
を備える請求項１から請求項５のいずれか一項に記載の投光器。
【請求項９】
前記光源及び前記支持部材を支持する筐体を有する本体部材と、
前記本体部材の側面に設けられた連結機構に連結され回転軸を中心に回動可能なアームと、
前記連結機構に配置され前記光源の発光状態の調整のために操作される操作装置と、
を備える請求項１から請求項５のいずれか一項に記載の投光器。
【請求項１０】
前記連結機構は、前記本体部材の第１側面に設けられた第１連結機構と、前記本体部材の第２側面に設けられた第２連結機構と、を含み、
前記操作装置は、前記第１連結機構に配置され、
前記第２連結機構は、前記アームを前記本体部材に固定する固定機構を有する、
請求項９に記載の投光器。
【請求項１１】
前記固定機構は、前記アームの回動を規制するカムを含む、
請求項１０に記載の投光器。
【請求項１２】
前記操作装置は、少なくとも一部が前記回転軸上に配置され前記回転軸と平行な方向に変位可能なスイッチと、前記スイッチの周囲に配置され前記回転軸を中心に回転可能なダイヤルと、を含む、
請求項９から請求項１１のいずれか一項に記載の投光器。
【請求項１３】
前記操作装置の操作量に基づいて前記発光状態を制御する発光状態制御部を備え、
前記操作装置の操作量は、前記スイッチの変位量及び前記ダイヤルの回転量を含む、
請求項１２に記載の投光器。
【請求項１４】
前記スイッチの変位量を検出する変位センサを備え、
前記発光状態制御部は、前記変位センサの検出信号に基づいて前記発光状態を制御する第１発光状態制御部を含む、
請求項１３に記載の投光器。
【請求項１５】
前記第１発光状態制御部による前記発光状態の制御は、前記光源を点灯状態と点滅状態と消灯状態との間で切り換える制御、及び前記光源から射出される光の色を切り換える制御の少なくとも一方を含む、
請求項１４に記載の投光器。
【請求項１６】
前記ダイヤルの回転量を検出する回転センサを備え、
前記発光状態制御部は、前記回転センサの検出信号に基づいて前記発光状態を制御する第２発光状態制御部を含む、
請求項１３から請求項１５のいずれか一項に記載の投光器。
【請求項１７】
前記第２発光状態制御部による前記発光状態の制御は、前記光源から射出される光が所定の照度基準面に照射される場合の照度の制御を含む、
請求項１６に記載の投光器。
【請求項１８】
前記第２発光状態制御部により制御された前記照度を記憶する記憶部を備え、
前記第２発光状態制御部は、消灯された前記光源が点灯されるとき、消灯時に前記記憶部に記憶された照度で光が射出されるように前記光源を制御する、
請求項１７に記載の投光器。
【請求項１９】
前記本体部材に設けられバッテリが装着されるバッテリ装着部を備え、
前記発光状態制御部は、前記バッテリ装着部に装着された前記バッテリの電力残量に基づいて前記発光状態を制御する、
請求項１３から請求項１８のいずれか一項に記載の投光器。
【請求項２０】
電動工具用バッテリが装着されるバッテリ装着部を備え、
前記光源及び前記ファンは、前記電動工具用バッテリから供給された電力に基づいて駆動する、
請求項１から請求項１９のいずれか一項に記載の投光器。
【発明の詳細な説明】
【技術分野】
【０００１】
本発明は、投光器に関する。
【背景技術】
【０００２】
建設現場のような作業現場において、特許文献１に開示されているような投光器が使用される。
【先行技術文献】
【特許文献】
【０００３】
【特許文献１】特開２０１４−２１２０２５号公報
【発明の概要】
【発明が解決しようとする課題】
【０００４】
投光器には、発光部の発光状態の調整のために操作される操作装置が設けられる。操作装置が投光器の上部に配置されていると、投光器を高所に設置した場合、操作装置に手が届きにくく、円滑な操作が困難となる。【０００５】
また、投光器は、光を射出する光源を有する。光源は発熱するため、光源の過度な温度上昇を抑制できる技術が必要である。【０００６】
本発明の態様は、発光状態の調整のための操作を円滑に行うことができる投光器を提供することを目的とする。また、本発明の態様は、光源の過度な温度上昇を抑制できる投光器を提供することを目的とする。
【課題を解決するための手段】
【０００７】
本発明の第１の態様に従えば、発光部を有する本体部材と、前記本体部材の側面に設けられた連結機構に連結され回転軸を中心に回動可能なアームと、前記連結機構に配置され前記発光部の発光状態の調整のために操作される操作装置と、を備える投光器が提供される。【０００８】
本発明の第２の態様に従えば、光源と、前記光源を支持する支持部材と、前記支持部材の表面に気流を生成して前記光源を冷却するファンと、を備え、前記光源は、前記支持部材の前面に支持され、前記支持部材の前方に光を射出し、前記ファンは、前記支持部材の後方において、前記支持部材と対向する位置に配置される、投光器が提供される。
【発明の効果】
【０００９】
本発明の態様によれば、発光状態の調整のための操作を円滑に行うことができる投光器が提供される。また、本発明の態様によれば、光源の過度な温度上昇を抑制できる投光器が提供される。
【図面の簡単な説明】
【００１０】
【図１】図１は、第１実施形態に係る投光器を示す斜視図である。
【図２】図２は、第１実施形態に係る投光器を示す平面図である。
【図３】図３は、第１実施形態に係る操作装置を示す断面図である。
【図４】図４は、第１実施形態に係る第２連結機構を示す斜視図である。
【図５】図５は、第１実施形態に係る放熱部材を示す斜視図である。
【図６】図６は、第１実施形態に係る投光器を後方から見た斜視図である。
【図７】図７は、第１実施形態に係る投光器を後方から見た斜視図である。
【図８】図８は、第１実施形態に係る投光器を後方から見た斜視図である。
【図９】図９は、第１実施形態に係る投光器を示す断面図である。
【図１０】図１０は、第１実施形態に係る制御装置を示す機能ブロック図である。
【図１１】図１１は、第１実施形態に係る投光器の使用態様を示す図である。
【図１２】図１２は、第２実施形態に係る投光器を示す斜視図である。
【図１３】図１３は、第２実施形態に係る投光器の使用態様を示す図である。
【図１４】図１４は、第３実施形態に係る投光器を示す斜視図である。
【図１５】図１５は、第３実施形態に係る投光器の使用態様を示す図である。
【図１６】図１６は、第４実施形態に係る投光器を示す斜視図である。
【図１７】図１７は、第４実施形態に係る投光器を示す平面図である。
【図１８】図１８は、第４実施形態に係る第２連結機構を示す斜視図である。
【図１９】図１９は、第４実施形態に係る放熱部材を示す斜視図である。
【図２０】図２０は、第４実施形態に係る投光器を後方から見た斜視図である。
【図２１】図２１は、第４実施形態に係る投光器を後方から見た斜視図である。
【図２２】図２２は、第４実施形態に係る投光器を後方から見た斜視図である。
【図２３】図２３は、第４実施形態に係る投光器を示す断面図である。
【図２４】図２４は、第４実施形態に係る投光器を示す断面図である。
【図２５】図２５は、第４実施形態に係る投光器を示す斜視図である。
【図２６】図２６は、第４実施形態に係る制御装置を示す機能ブロック図である。
【図２７】図２７は、第４実施形態に係るファンの作用を示す図である。
【発明を実施するための形態】
【００１１】
以下、本発明に係る実施形態について図面を参照しながら説明するが、本発明は実施形態に限定されない。以下で説明する実施形態の構成要素は、適宜組み合わせることができる。また、一部の構成要素を用いない場合もある。
【００１２】
［第１実施形態］
図１は、本実施形態に係る投光器１００Ａの一例を示す斜視図である。図２は、本実施形態に係る投光器１００Ａの一例を示す平面図である。投光器１００Ａは、建設現場のような作業現場において使用される。投光器１００Ａは、供給される電力に基づいて光を射出する。
【００１３】
図１及び図２に示すように、投光器１００Ａは、光源１７を含む発光部１２を有する本体部材１０と、本体部材１０に連結されるハンドル１３と、本体部材１０の側面に設けられた連結機構３０に連結され回転軸ＡＸを中心に回動可能なアーム２０と、連結機構３０に配置され発光部１２の発光状態の調整のために操作される操作装置ＨＤと、制御装置６０とを備える。発光部１２の発光状態は、光源１７の発光状態を含む概念である。
【００１４】
以下の説明においては、「前」、「後」、「上」、「下」、「左」、「右」の用語を用いて各部の位置関係について説明する。発光部１２は、本体部材１０の中心よりも前方に配置される。ハンドル１３は、本体部材１０の中心よりも上方に配置される。上方の反対方向が下方であり、前方の反対方向が後方である。また、前方及び上方と直交する方向が側方である。一方の側方は左方であり、他方の側方は右方である。
【００１５】
＜本体部材＞
本体部材１０は、筐体１１と、筐体１１に支持される発光部１２と、発光部１２を支持する放熱部材１９とを有する。放熱部材１９は、筐体１１に支持される。筐体１１は、フロントカバー１４と、バックカバー１５と、バッテリカバー１６とを有する。フロントカバー１４は、バックカバー１５の前方に配置される。フロントカバー１４は、発光部１２の周囲に配置される。フロントカバー１４は、発光部１２及び放熱部材１９を収容する。フロントカバー１４は、例えばエラストマによって形成される。フロントカバー１４は、レンズ１４Ｌを有する。レンズ１４Ｌは、発光部１２の前方に配置される。レンズ１４Ｌは、光を透過可能な材料を用いて形成される。フロントカバー１４は、発光部１２及び放熱部材１９の周囲に配置される複数の側面を有する。フロントカバー１４の側面は、フロントカバー１４の上面１４ａ、下面１４ｂ、右面１４ｃ、及び左面１４ｄを含む。フロントカバー１４の上面１４ａ、下面１４ｂ、右面１４ｃ、及び左面１４ｄのうち、少なくとも２つの側面に開口部１４Ｋが設けられる。本実施形態においては、フロントカバー１４の上面１４ａ、下面１４ｂ、右面１４ｃ、及び左面１４ｄのそれぞれに開口部１４Ｋが設けられる。開口部１４Ｋは、フロントカバー１４の内部空間と外部空間とを結ぶ通気口として機能する。放熱部材１９の少なくとも一部は、開口部１４Ｋから露出する。発光部１２及び放熱部材１９の熱は、開口部１４Ｋを介して筐体１１の外部に放出される。発光部１２の出力が高い場合でも、発光部１２で発生する熱は、開口部１４Ｋを介して外部に効率的に放出される。また、上面１４ａ、下面１４ｂ、右面１４ｃ、及び左面１４ｄのいずれか１つの側面に設けられた開口部１４Ｋからフロントカバー１４の内部空間に異物が侵入した場合でも、異物は、他の側面に設けられた開口部１４Ｋからフロントカバー１４の外部空間に排出される。異物は、塵のような固体及び水のような液体の一方又は両方を含む概念である。
【００１６】
バックカバー１５は、フロントカバー１４の後方に配置される。バックカバー１５は、上方に突出した段部１５ａを有する。上下方向において、段部１５ａの上面とフロントカバー１４の上面とはほぼ同じ位置に配置される。バックカバー１５は、第１壁部１５Ｓを有する。第１壁部１５Ｓは、バックカバー１５の前部に設けられる。バックカバー１５は、第１壁部１５Ｓにおいてフロントカバー１４に固定される。
【００１７】
バッテリカバー１６は、バックカバー１５の後方に配置される。バッテリカバー１６は、バックカバー１５の下部にヒンジ機構を介して連結される。バッテリカバー１６は、バックカバー１５に回動可能に支持される。なお、バッテリカバー１６は、バックカバー１５に着脱されてもよい。バッテリカバー１６は、バックカバー１５側に突出するラッチ１６ａを有する。ラッチ１６ａは、段部１５ａの上面に配置される。
【００１８】
発光部１２は、複数の光源１７と、複数の光源１７を支持する制御基板１８とを有する。光源１７として、例えばＬＥＤ（Light  Emitting  Diode）が用いられる。光源１７は、制御基板１８の前面において、上下方向及び左右方向のそれぞれに複数配置される。複数の光源１７は、同一の色光を発光してもよいし、異なる色光を発光してもよい。制御基板１８は、光源１７を駆動する駆動回路及び駆動回路に接続される配線を有する。制御基板１８は、制御装置６０からの制御信号に基づいて、発光部１２の発光状態を制御する。放熱部材１９は、制御基板１８に接触する。制御基板１８は、放熱部材１９に固定される。上述のように、放熱部材１９は、筐体１１に支持される。複数の光源１７を支持する制御基板１８は、放熱部材１９を介して筐体１１に支持される。
【００１９】
放熱部材１９は、光源１７から発生する熱を放出するヒートシンクである。放熱部材１９は、制御基板１８よりも熱伝導率の高い材料で形成される。放熱部材１９は、例えばアルミニウムのような金属材料により形成される。なお、放熱部材１９は、例えばカーボン等を含む材料により形成されてもよい。
【００２０】
＜ハンドル＞
ハンドル１３は、本体部材１０に取り付けられる。ハンドル１３は、軸部１３ｂを介してバックカバー１５に連結される一対の基部１３ａと、一対の基部１３ａを結ぶ把持部１３ｃとを有する。基部１３ａは、軸部１３ｂを介して段部１５ａの右側面及び左側面のそれぞれに取り付けられる。軸部１３ｂの回動軸は、回転軸ＡＸと平行である。回転軸ＡＸは、左右方向に延在する。基部１３ａは、軸部１３ｂを中心に回動可能である。基部１３ａは、段部１５ａから直線状に延びる。把持部１３ｃは、作業者により把持される。作業者は、把持部１３ｃを保持して投光器１００Ａを持ち運ぶことができる。
【００２１】
基部１３ａが軸部１３ｂを中心に回動することにより、ハンドル１３は、収容位置Ｐ１と起立位置Ｐ２（図６等参照）との間を移動可能である。
【００２２】
ハンドル１３が収容位置Ｐ１に配置された状態において、ハンドル１３は、段部１５ａの左方、右方、及び後方のそれぞれに配置される。ハンドル１３が収容位置Ｐ１に配置された状態において、基部１３ａ及び把持部１３ｃがバックカバー１５からはみ出さず、かつハンドル１３の上面がフロントカバー１４から上方にはみ出さないように、ハンドル１３の形状及び寸法が定められる。
【００２３】
ハンドル１３が収容位置Ｐ１に配置された状態において、ハンドル１３は、バッテリカバー１６の上部に配置される。ハンドル１３がバッテリカバー１６の上部に配置されることにより、バッテリカバー１６の後方（開方向）への移動が規制される。ハンドル１３が収容位置Ｐ１に配置されるより、バッテリカバー１６が不意に開いてしまうことが抑制される。
【００２４】
ハンドル１３が起立位置Ｐ２に配置された状態において、作業者は、ハンドル１３を円滑に把持することができる。
【００２５】
＜アーム＞
アーム２０は、本体部材１０の側面に設けられた連結機構３０に連結され回転軸ＡＸを中心に回動可能である。アーム２０は、第１基部２１と、第２基部２２と、環状部２３とを有する。第１基部２１と第２基部２２と環状部２３とは、一体である。連結機構３０は、本体部材１０の第１側面１５Ｒに設けられた第１連結機構３１と、本体部材１０の第２側面１５Ｌに設けられた第２連結機構３２とを含む。第１側面１５Ｒは、バックカバー１５の右側面であり、第２側面１５Ｌは、バックカバー１５の左側面である。
【００２６】
第１基部２１は、第１連結機構３１を介してバックカバー１５の第１側面１５Ｒに連結される。第１基部２１は、直線状であり、第１連結機構３１から第１側面１５Ｒに沿って前方かつ下方に延びる。第１基部２１は、湾曲部２４を介して環状部２３に接続される。第２基部２２は、第２連結機構３２を介してバックカバー１５の第２側面１５Ｌに連結される。第２基部２２は、直線状であり、第２連結機構３２から第２側面１５Ｌに沿って前方かつ下方に延びる。第１基部２１の寸法と第２基部２２の寸法とは等しい。第２基部２２は、湾曲部２５を介して環状部２３に接続される。
【００２７】
環状部２３は、第１側面１５Ｒに沿って配置される第１節部２３ａと、第２側面１５Ｌに沿って配置される第２節部２３ｂと、回転軸ＡＸに平行に配置される第３節部２３ｃとを有する。第１節部２３ａは、湾曲部２４に接続される。第２節部２３ｂは、湾曲部２５に接続される。第３節部２３ｃの右端部は、湾曲部２６を介して第１節部２３ａに接続される。第３節部２３ｃの左端部は、湾曲部２７を介して第２節部２３ｂに接続される。
【００２８】
第１連結機構３１は、第１側面１５Ｒに設けられる。第２連結機構３２は、第２側面１５Ｌに設けられる。第２連結機構３２は、アーム２０を本体部材１０に固定する固定機構３５を有する。固定機構３５は、アーム２０の回動を規制するカム３２ｃを含む。
【００２９】
＜第１連結機構及び操作装置＞
図３は、本実施形態に係る操作装置ＨＤを示す断面図であり、図２のＡ−Ａ線矢視断面図に相当する。操作装置ＨＤは、連結機構３０に配置され、発光部１２（光源１７）の発光状態の調整のために操作される。操作装置ＨＤは、スイッチ機構４０と、ダイヤル機構５０とを有する。
【００３０】
図３に示すように、操作装置ＨＤは、第１連結機構３１に配置される。操作装置ＨＤは、第１基部２１から独立して設けられる。第１連結機構３１は、フランジ部３１ａと、円筒部３１ｂとを有する。フランジ部３１ａは、第１側面１５Ｒに固定される。円筒部３１ｂは、フランジ部３１ａから右方に突出する。円筒部３１ｂの中心軸と回転軸ＡＸとは一致する。第１基部２１は、回転軸ＡＸを中心に回動可能に円筒部３１ｂに支持される。
【００３１】
スイッチ機構４０の少なくとも一部は、第１連結機構３１の回転軸ＡＸ上に配置される。ダイヤル機構５０の少なくとも一部は、スイッチ機構４０の周囲に配置される。スイッチ機構４０は、スイッチ４１と、移動部材４２と、変位センサ４３とを有する。ダイヤル機構５０は、ダイヤル５１と、回転部材５２と、回転センサ５３とを有する。
【００３２】
スイッチ４１は、少なくとも一部が回転軸ＡＸ上に配置され回転軸ＡＸと平行な方向に変位可能である。スイッチ４１の右端部は、ダイヤル５１から右方に突出する。ダイヤル５１は、スイッチ４１の周囲に配置される。スイッチ４１は、ダイヤル５１の内側で、左右方向に変位可能である。作業者は、スイッチ４１を操作可能である。作業者は、スイッチ４１の右端部を押して、スイッチ４１を変位させることができる。スイッチ４１は、第１基部２１及び第１連結機構３１から独立している。そのため、スイッチ４１が操作されても、第１基部２１及び第１連結機構３１は移動しない。
【００３３】
なお、スイッチ４１の右端部がダイヤル５１の外側に突出した状態を維持するため、スイッチ４１にバネのような弾性部材が接続されてもよい。
【００３４】
移動部材４２は、スイッチ４１に連結される。移動部材４２は、円柱状である。移動部材４２の中心軸と回転軸ＡＸとは一致する。移動部材４２は、バックカバー１５に設けられた挿入孔１５ｃに挿入される。スイッチ４１が左右方向に変位すると、移動部材４２は、スイッチ４１と一緒に左右方向に変位する。
【００３５】
変位センサ４３は、スイッチ４１の変位量を検出する。変位センサ４３は、移動部材４２の左端部に接触するように配置される。変位センサ４３は、移動部材４２の変位量に基づいて電気信号を出力する。変位センサ４３は、圧電センサのような接触型のセンサでもよいし、光学センサ又は磁気センサのような非接触型のセンサでもよい。
【００３６】
ダイヤル５１は、スイッチ４１の周囲に配置され回転軸ＡＸを中心に回転可能である。ダイヤル５１は、円筒状である。ダイヤル５１の中心軸と回転軸ＡＸとは一致する。ダイヤル５１は、回転可能範囲が存在せずに自在に回転可能な多回転ダイヤルである。なお、ダイヤル５１は、回転可能範囲が規定されたダイヤルでもよい。作業者は、ダイヤル５１を操作可能である。作業者は、ダイヤル５１をつまんで回転させることができる。ダイヤル５１は、第１基部２１及び第１連結機構３１から独立している。そのため、ダイヤル５１が操作されても、第１基部２１及び第１連結機構３１は回転しない。
【００３７】
回転部材５２は、ダイヤル５１に連結される。回転部材５２は、円筒状である。回転部材５２の中心軸と回転軸ＡＸとは一致する。回転部材５２は、バックカバー１５に設けられた挿入孔１５ｃに挿入される。回転部材５２の内径は、移動部材４２の外径よりも大きい。移動部材４２は、回転部材５２の内側に配置される。回転部材５２は、軸受１５ｄを介して挿入孔１５ｃの内周面に支持される。
【００３８】
回転センサ５３は、ダイヤル５１の回転量を検出する。回転センサ５３は、回転部材５２の回転量に基づいて電気信号を出力する。回転センサ５３は、光学センサ又は磁気センサのような非接触型のセンサでもよい。
【００３９】
挿入孔１５ｃの内周面に二重環状の壁部１５ｅが設けられる。Ｏリングのような封止部材１５ｆが壁部１５ｅに保持される。封止部材１５ｆにより、変位センサ４３及び回転センサ５３が配置される挿入孔１５ｃに、外部から異物が侵入することが抑制される。
【００４０】
＜第２連結機構＞
図４は、本実施形態に係る第２連結機構３２を示す斜視図である。図４に示すように、第２基部２２は、円柱部２２ａと、棒状部２２ｂと、カム２２ｃとを有する。円柱部２２ａは、第２連結機構３２に連結される。棒状部２２ｂは、円柱部２２ａに接続され、環状部２３に連結される。カム２２ｃは、アーム２０の回動を規制する。カム２２ｃは、円柱部２２ａの右側の先端面２２ｄに設けられる。なお、図４は、円柱部２２ａを先端面２２ｄ側から見た図を併せて示す。カム２２ｃは、円柱部２２ａの周方向に配置された複数の突起部を有する。
【００４１】
第２連結機構３２は、アーム２０を本体部材１０に固定する固定機構３５を有する。固定機構３５は、フランジ部３２ａと、円柱部３２ｂと、カム３２ｃと、ネジ部３２ｄと、固定部材３２ｅとを有する。フランジ部３２ａは、第２側面１５Ｌに固定される。円柱部３２ｂは、フランジ部３２ａから左方に突出する。円柱部３２ｂの中心軸と回転軸ＡＸとは一致する。
【００４２】
カム３２ｃは、アーム２０の回動を規制する。カム３２ｃは、円柱部３２ｂの先端面３２ｆに設けられる。カム３２ｃは、円柱部３２ｂの周方向に配置された複数の突起部を有する。
【００４３】
ネジ部３２ｄは、円柱部３２ｂの先端面３２ｆから左方に突出する。ネジ部３２ｄの左端部にネジ山が形成される。ネジ部３２ｄは、第２基部２２の円柱部２２ａに設けられた貫通孔２２ｅに挿入される。
【００４４】
固定部材３２ｅは、ネジ溝が形成されたネジ孔３２ｇを有する。ネジ孔３２ｇのネジ溝は、ネジ部３２ｄのネジ山と結合される。固定部材３２ｅは、円柱部２２ａの左側からネジ部３２ｄに結合される。固定部材３２ｅのネジ孔３２ｇにネジ部３２ｄの左端部が挿入され、固定部材３２ｅが回転軸ＡＸを中心とする回転方向の一方向に回転されることにより、円柱部２２ａと円柱部３２ｂとが固定される。また、固定部材３２ｅが回転軸ＡＸを中心とする回転方向の他方向に回転されることにより、円柱部２２ａと円柱部３２ｂとの固定が解除される。
【００４５】
円柱部２２ａと円柱部３２ｂとが固定された状態において、第２基部２２のカム２２ｃと第２連結機構３２のカム３２ｃとが結合される。これにより、回転軸ＡＸを中心とする円柱部２２ａの回転が規制される。
【００４６】
円柱部２２ａと円柱部３２ｂとの固定が解除された状態において、第２基部２２のカム２２ｃと第２連結機構３２のカム３２ｃとの結合が解除される。これにより、円柱部２２ａは、回転軸ＡＸを中心に回転することができる。また、カム２２ｃとカム３２ｃとの結合が解除されることにより、回転軸ＡＸを中心とする回転方向におけるアーム２０の位置を調整することができる。
【００４７】
環状部２３は、第１基部２１と第２基部２２とを連結する。環状部２３は、第１基部２１及び第２基部２２から前方に湾曲する。環状部２３は、本体部材１０とＡＣ電源とを接続する配線が巻き付けられる配線巻き部２３ｄと、三脚又はバイスに接続される接続部２３ｅとを有する。
【００４８】
＜放熱部材＞
図５は、本実施形態に係る放熱部材１９を示す斜視図である。図５は、フロントカバー１４に収容された放熱部材１９を後方から見たときの状態を示す。図５に示すように、放熱部材１９は、支持板１９ａと、フィン１９ｂ及びフィン１９ｃと、固定部材挿入部１９ｄと、挿通部１９ｅとを有する。支持板１９ａは、制御基板１８を支持する。制御基板１８は、支持板１９ａに接触する。フィン１９ｂ及びフィン１９ｃは、支持板１９ａの後面に支持され、支持板１９ａから後方に突出する。フィン１９ｂは、上下方向に延在するプレート状であり、左右方向に間隔をあけて複数設けられる。フィン１９ｃは、左右方向に延在するプレート状であり、上下方向に間隔をあけて複数設けられる。固定部材挿入部１９ｄに、放熱部材１９を固定するための固定部材が挿入される。また、挿通部１９ｅに、制御基板１８に接続される配線が配置される。
【００４９】
＜バッテリ装着部＞
図６及び図７のそれぞれは、本実施形態に係る投光器１００Ａを後方から見た状態を示す斜視図であり、バッテリカバー１６を後方（開方向）へ回動させた状態を示す。本体部材１０は、電動工具用バッテリ８０が装着されるバッテリ装着部７０を有する。電動工具用バッテリ８０は、充電式バッテリである。バッテリ装着部７０は、バッテリカバー１６で覆われる。バッテリ装着部７０に電動工具用バッテリ８０を装着する場合又はバッテリ装着部７０から電動工具用バッテリ８０を外す場合、バッテリカバー１６が後方に回動される。図６は、バッテリ装着部７０から電動工具用バッテリ８０が外されている状態を示す。図７は、バッテリ装着部７０に電動工具用バッテリ８０を装着されている状態を示す。
【００５０】
バッテリカバー１６を後方へ回動させる場合、ハンドル１３が起立位置Ｐ２に配置されるように、ハンドル１３が持ち上げられる。これにより、バッテリカバー１６は回動可能な状態になる。ハンドル１３が起立位置Ｐ２に配置された後、ラッチ１６ａが外されることにより、バッテリカバー１６の上部が後方に移動するように、バッテリカバー１６が回動される。バッテリカバー１６が後方に回動されることにより、図６に示すように、バッテリ装着部７０が露出する。また、バッテリカバー１６が前方（閉方向）に回動され、ラッチ１６ａが段部１５ａ上に配置されることにより、バッテリ装着部７０は、バッテリカバー１６で覆われる。
【００５１】
バッテリ装着部７０は、発光部１２の後方に配置され、少なくとも２つの電動工具用バッテリ８０を装着可能である。バックカバー１５は、第２壁部１５Ｔを有する。第２壁部１５Ｔは、バックカバー１５の後部に設けられる。バッテリ装着部７０は、第２壁部１５Ｔに配置される。バッテリ装着部７０は、第２壁部１５Ｔにおいて左右方向に２つ設けられる。なお、バッテリ装着部７０は、１つでもよいし３つ以上の任意の複数でもよい。なお、バッテリ装着部７０は、上下方向に複数設けられてもよい。
【００５２】
電動工具用バッテリ８０は、バッテリ装着部７０に装着される。バッテリ装着部７０は、電動工具用バッテリ８０をガイドするガイド部７１を有する。電動工具用バッテリ８０は、ガイド部７１にガイドされながらバッテリ装着部７０に対して下方にスライドすることにより、バッテリ装着部７０に装着される。電動工具用バッテリ８０がバッテリ装着部７０に装着されることにより、本体部材１０と電動工具用バッテリ８０とが通電可能状態となる。発光部１２、スイッチ機構４０、ダイヤル機構５０、及び制御装置６０のそれぞれは、電動工具用バッテリ８０から供給された電力に基づいて駆動する。電動工具用バッテリ８０の電力残量を示す残量信号が制御装置６０に出力される。
【００５３】
＜電源配線＞
図８は、本実施形態に係る投光器１００Ａを後方から見た状態を示す斜視図であり、投光器１００Ａに電源配線１５ｒが接続される状態を示す。図８に示すように、バックカバー１５の後面１５Ｂにコネクタ接続部１５ｐが設けられる。コネクタ接続部１５ｐは、電源配線１５ｒのコネクタ１５ｔと接続される。コネクタ接続部１５ｐは、接続部カバー１５ｇで覆われる。接続部カバー１５ｇは、後面１５Ｂにヒンジ機構を介して連結される。図８は、接続部カバー１５ｇが開いている状態を示す。
【００５４】
＜内部空間＞
図９は、本実施形態に係る投光器１００Ａを示す断面図であり、図２のＢ−Ｂ線矢視断面図に相当する。図９に示すように、筐体１１は、発光部１２、放熱部材１９、及び電動工具用バッテリ８０が収容される内部空間を有する。筐体１１の内部空間は、放熱部材１９が収容される第１空間Ｋ１と、電動工具用バッテリ８０が収容される第２空間Ｋ２とに区画される。第１空間Ｋ１は、フロントカバー１４とバックカバー１５の第１壁部１５Ｓとによって規定される。フロントカバー１４は、ネジ部材１５ｕにより第１壁部１５Ｓに固定される。第２空間Ｋ２は、バックカバー１５の第２壁部１５Ｔとバッテリカバー１６とによって規定される。バッテリカバー１６は、第２空間Ｋ２に対する異物の侵入を抑制する。
【００５５】
＜制御装置＞
図１０は、本実施形態に係る制御装置６０を示す機能ブロック図である。制御装置６０は、ＣＰＵ（Central  Processing  Unit）を含む処理装置と、ＲＡＭ（Random  Access  Memory）又はＲＯＭ（Read  Only  Memory）を含む記憶装置を有する。制御装置６０は、例えばバックカバー１５の内部空間に配置される。
【００５６】
制御装置６０は、入力部６１と、発光状態制御部６２と、記憶部６３とを有する。
【００５７】
入力部６１は、入力信号を取得する。入力部６１に取得される入力信号は、変位センサ４３の検出信号、回転センサ５３の検出信号、及び電動工具用バッテリ８０の残量信号を含む。
【００５８】
発光状態制御部６２は、操作装置ＨＤの操作量に基づいて、発光部１２（光源１７）の発光状態を制御する制御信号を出力する。操作装置ＨＤの操作量は、スイッチ４１の変位量及びダイヤル５１の回転量を含む。発光状態制御部６２は、入力部６１に入力された入力信号に基づいて、発光部１２の発光状態を制御する。発光状態制御部６２は、第１発光状態制御部６４と、第２発光状態制御部６５とを有する。
【００５９】
第１発光状態制御部６４は、変位センサ４３の操作量に基づいて、発光部１２（光源１７）の発光状態を制御する制御信号を出力する。第１発光状態制御部６４による発光部１２の発光状態の制御は、発光部１２を点灯状態と点滅状態と消灯状態との間で切り換える制御、及び発光部１２から射出される色光を切り換える制御の少なくとも一方を含む。第１発光状態制御部６４は、発光状態の制御として、発光部１２を点灯状態と点滅状態と消灯状態との間で切り換える制御、及び発光部１２から射出される色光を切り換える制御の少なくとも一方を実行する。
【００６０】
作業者がスイッチ機構４０のスイッチ４１を操作すると、変位センサ４３は、スイッチ４１の変位量を検出する。変位センサ４３は、検出信号を制御装置６０に出力する。第１発光状態制御部６４は、入力部６１に入力される変位センサ４３の検出信号に基づいて、発光部１２の発光状態を制御する。
【００６１】
なお、第１発光状態制御部６４は、スイッチ４１が操作される時間、及びスイッチ４１が１回操作されてから次に操作されるまでの時間に基づいて、点灯状態と点滅状態と消灯状態とを切り換えてもよいし、発光する色光を切り換えてもよい。例えば、第１発光状態制御部６４は、作業者がスイッチ４１を所定時間以上の間操作した場合（長押しした場合）と所定時間以下の間操作した場合とで異なる発光状態となるように、発光状態を制御してもよい。
【００６２】
また、第１発光状態制御部６４は、発光部１２が点灯状態である場合において、スイッチ４１が所定時間以上の間操作された場合には消灯状態に変更し、所定時間以下の間操作された場合には点滅状態に変更又は点灯状態を維持してもよい。また、第１発光状態制御部６４は、発光部１２が消灯状態にある場合において、スイッチ４１が所定時間以上の間操作された場合には点灯状態に変更し、所定時間以下の間操作された場合には点滅状態に変更又は消灯状態を維持してもよい。
【００６３】
また、第１発光状態制御部６４は、発光部１２が第１の色光で点灯状態である場合において、スイッチ４１が所定時間以上の間操作された場合には第２の色光で点灯状態に変更し、所定時間以下の間操作された場合には第３の色光で点灯状態に変更又は第１の色光で点灯状態を維持してもよい。
【００６４】
また、第１発光状態制御部６４は、例えばスイッチ４１が１回操作されてから所定時間以内に２回目が操作された場合には異なる発光状態となるように、発光状態を制御してもよい。
【００６５】
また、第１発光状態制御部６４は、回転センサ５３の検出信号に基づいて、発光部１２の発光状態を制御してもよい。例えば、第１発光状態制御部６４は、ダイヤル５１の回転範囲が制限されている場合、ダイヤル５１の回転位置が回転範囲の下限値又は上限値になった場合に、発光部１２の発光状態を消灯状態に変更してもよい。
【００６６】
また、第１発光状態制御部６４は、電動工具用バッテリ８０の残量信号に基づいて、発光部１２の発光状態を制御してもよい。例えば、発光部１２が点灯状態である場合に、電動工具用バッテリ８０の残量信号が残量閾値を下回った場合、第１発光状態制御部６４は、発光部１２の発光状態を点滅状態にしたり、発光部１２から照射される色光を変更したりしてもよい。
【００６７】
第２発光状態制御部６５は、回転センサ５３の検出信号に基づいて、発光部１２（光源１７）の発光状態を制御する制御信号を出力する。第２発光状態制御部６５による発光状態の制御は、発光部１２から射出される光が所定の照度基準面Ｆ（図２参照）に照射される場合の照度の制御を含む。照度基準面Ｆは、発光部１２から前方に所定距離だけ離れた位置に規定される仮想平面である。照度は、発光部１２から射出される光の光量が大きいほど大きい値となり、光量が小さいほど小さい値となる。発光部１２から射出される光の光量は、複数の光源１７から射出される光の光量の総和である。光源１７から射出される光の光量は、光源１７に供給される電流が大きいほど大きい値となり、電流が小さいほど小さい値となる。そのため、照度基準面Ｆの照度は、光源１７に供給される電流の大きさに基づいて変化する。第２発光状態制御部６５による発光状態の制御は、光源１７に供給される電流の大きさの制御を含む。記憶部６３は、光源１７に供給される電流の大きさと、電流の大きさに対応する照度基準面Ｆの照度との関係を示す相関データを記憶する。相関データは、実験又はシミュレーションによって予め求めることができる。第２発光状態制御部６５は、照度基準面Ｆの照度の大きさを変更する場合、変更後の照度に対応する電流の目標値を設定し、設定した目標値に基づいて光源１７に供給する電流の大きさを制御する。
【００６８】
第２発光状態制御部６５は、例えば回転センサ５３の検出信号に基づいて、照度基準面Ｆの照度、すなわち光源１７に供給する電流の大きさを制御してもよい。作業者がダイヤル機構５０のダイヤル５１を回転させると、回転センサ５３は、ダイヤル５１の回転量を検出する。回転センサ５３は、検出信号を制御装置６０に出力する。第２発光状態制御部６５は、入力部６１に入力される回転センサ５３の検出信号に基づいて、光源１７に供給する電流の大きさを制御する。
【００６９】
また、第２発光状態制御部６５は、例えばバッテリ装着部７０に装着された電動工具用バッテリ８０の電力残量に基づいて、光源１７に供給する電流の大きさを制御してもよい。電動工具用バッテリ８０は、電力残量を示す残量信号を出力する。第２発光状態制御部６５は、電動工具用バッテリ８０から出力される残量信号に基づいて、電動工具用バッテリ８０の電力残量を検出する。電動工具用バッテリ８０の電力残量が残量閾値を下回った場合、第２発光状態制御部６５は、光源１７に供給する電流の大きさを低下させる。
【００７０】
記憶部６３は、第２発光状態制御部６５により制御された照度、すなわち電流の目標値を記憶する。記憶部６３は、照度基準面Ｆの照度に対応する電流の目標値を記憶する照度データ記憶部６６を有する。第２発光状態制御部６５は、設定されている電流の目標値を一定の周期で記憶部６３に記憶させる。第２発光状態制御部６５は、例えば発光部１２を一度消灯してから再度点灯させる場合、消灯時の最後の周期で記憶部６３に記憶させた電流の目標値に基づいて、光源１７に供給する電流の大きさを制御する。
【００７１】
＜使用態様＞
次に、本実施形態に係る投光器１００Ａの使用態様について説明する。投光器１００Ａは、例えば作業者が電動工具を用いて作業を行う作業現場で用いられる。投光器１００Ａは、地面に載置されてもよいし、設置台に載置されてもよい。投光器１００Ａが地面又は設置台に直接載置される定置型である場合、アーム２０は、本体部材１０の下方に配置される。回転軸ＡＸを中心に本体部材１０を回転させて、アーム２０と本体部材１０との位置関係が調整されることにより、発光部１２から射出される光の射出方向が調整される。
【００７２】
図１１は、本実施形態に係る投光器１００Ａの使用態様を示す図である。図１１に示すように、投光器１００Ａは、専用の三脚スタンド９０に支持されてもよい。アーム２０の環状部２３に設けられた接続部２３ｅと三脚スタンド９０とが接続されることにより、投光器１００Ａは、三脚スタンド９０に支持される。
【００７３】
なお、投光器１００Ａは、例えばレーザ墨出し器を取り付けるための三脚スタンド又はカメラを取り付けるための三脚スタンドのような、他の用途に使用される三脚スタンドに支持されてもよい。また、複数台の投光器１００Ａを連結可能なアタッチメントが三脚スタンド９０に取り付けられることにより、１台の三脚スタンド９０は、複数台の投光器１００Ａを支持することができる。
【００７４】
発光部１２の点灯状態と点滅状態と消灯状態とを切り換える場合において、スイッチ機構４０のスイッチ４１が操作されると、変位センサ４３は、スイッチ４１の変位量に基づいて、検出信号を制御装置６０に出力する。制御装置６０は、変位センサ４３の検出信号に基づいて、発光部１２の点灯状態と点滅状態と消灯状態とを切り換える。
【００７５】
発光部１２から射出される光の照度を制御する場合、ダイヤル機構５０のダイヤル５１が操作されると、回転センサ５３は、ダイヤル５１の回転量に基づいて、検出信号を制御装置６０に出力する。制御装置６０は、回転センサ５３の検出信号に基づいて、光源１７に供給する電流の大きさを変更する。
【００７６】
このように、作業者は、本体部材１０の第１側面１５Ｒ及び第２側面１５Ｌのうち一方の側面である第１側面１５Ｒに配置される操作装置ＨＤを操作すればよいため、例えば一方の手で電動工具を持っている状態においても、他方の手で操作装置ＨＤを容易に操作することができる。また、スイッチ４１及びダイヤル５１が本体部材１０の側部に配置されるため、投光器１００Ａが高所に配置されても、作業者は、スイッチ４１及びダイヤル５１を容易に操作することができる。
【００７７】
また、例えば本体部材１０に対してアーム２０を回動させる場合、固定が解除される一方向に固定部材３２ｅが回転されると、カム２２ｃとカム３２ｃとの固定が解除され、アーム２０を容易に回動させることができる。また、アーム２０を回動させ、円柱部２２ａと円柱部３２ｂとの間で位置合わせを行った後、固定部材３２ｅが他方向に回転されると、円柱部２２ａが固定される。このように、アーム２０を回動させる場合、作業者は、本体部材１０の第１側面１５Ｒ及び第２側面１５Ｌのうち他方の側面である第２側面１５Ｌに配置される固定機構３５を操作すればよいため、一方の手で電動工具を持っている状態においても、他方の手で固定機構３５を容易に操作することができる。
【００７８】
＜効果＞
以上説明したように、本実施形態に係る投光器１００Ａは、発光部１２を有する本体部材１０と、本体部材１０の側面に設けられた連結機構３０に連結され回転軸ＡＸを中心に回動可能なアーム２０と、連結機構３０に配置され発光部１２の発光状態の調整のために操作される操作装置ＨＤと、を備える。
【００７９】
本実施形態によれば、発光部１２の発光状態の調整のために操作される操作装置ＨＤが、連結機構３０の回転軸ＡＸ上に配置されるため、操作装置ＨＤがアーム２０と干渉することが無い。また、操作装置ＨＤが本体部材１０の側方に配置されるため、本体部材１０が高所に配置される場合であっても、発光状態の調整のための操作を円滑に行うことができる。
【００８０】
本実施形態において、連結機構３０は、本体部材１０の第１側面１５Ｒに設けられた第１連結機構３１と、本体部材１０の第２側面１５Ｌに設けられた第２連結機構３２と、を含む。操作装置ＨＤは、第１連結機構３１に配置され、第２連結機構３２は、アーム２０を本体部材１０に固定する固定機構３５を有する。これにより、固定機構３５の固定部材３２ｅを操作する際に操作装置ＨＤまで操作されてしまうことを抑制できる。また、操作装置ＨＤを操作する際に、固定部材３２ｅまで操作されてしまうことを抑制できる。
【００８１】
本実施形態において、固定機構３５は、アーム２０の回動を規制するカム３２ｃを含む。カム３２ｃによりアーム２０の回動が規制されるため、第１連結機構３１に固定機構が設けられなくても、アーム２０の回動を規制することができる。
【００８２】
本実施形態において、操作装置ＨＤは、少なくとも一部が回転軸ＡＸ上に配置され回転軸ＡＸと平行な方向に変位可能なスイッチ４１と、スイッチ４１の周囲に配置され回転軸ＡＸを中心に回転可能なダイヤル５１と、を含む。操作装置ＨＤとして操作方法が異なるスイッチ４１及びダイヤル５１が設けられるため、作業者は操作装置ＨＤを容易に操作することができる。
【００８３】
本実施形態において、操作装置ＨＤの操作量に基づいて発光状態を制御する発光状態制御部６２が設けられる。操作装置ＨＤの操作量は、スイッチ４１の変位量及びダイヤル５１の回転量を含む。これにより、スイッチ４１及びダイヤル５１による操作が、発光状態に適切に反映される。
【００８４】
本実施形態において、スイッチ４１の変位量を検出する変位センサ４３が設けられる。発光状態制御部６２は、変位センサ４３の検出信号に基づいて発光状態を制御する第１発光状態制御部６４を含む。これにより、スイッチ４１による操作が、発光状態に適切に反映される。
【００８５】
本実施形態において、第１発光状態制御部６４による発光状態の制御は、発光部１２（光源１７）を点灯状態と点滅状態と消灯状態との間で切り換える制御、及び発光部１２から射出される色光を切り換える制御の少なくとも一方を含む。これにより、発光部１２は、多様な発光状態で発光することができる。
【００８６】
本実施形態において、ダイヤル５１の回転量を検出する回転センサ５３が設けられる。発光状態制御部６２は、回転センサ５３の検出信号に基づいて発光状態を制御する第２発光状態制御部６５を含む。これにより、ダイヤル５１による操作が、照度の変更に適切に反映される。
【００８７】
本実施形態において、第２発光状態制御部６５による発光状態の制御は、発光部１２（光源１７）から射出される光が所定の照度基準面Ｆに照射される場合の照度の制御を含む。これにより、発光部１２は、多様な光量で光を射出することができる。
【００８８】
本実施形態において、第２発光状態制御部６５により制御された照度を記憶する記憶部６３が設けられる。第２発光状態制御部６５は、消灯された発光部１２（光源１７）が点灯されるとき、消灯時に記憶部６３に記憶された照度で光が射出されるように発光部１２（光源１７）を制御する。発光部１２を再点灯させる場合、直前に発光部１２で照射されていた照度で光が照射されるため、発光部１２の照度を再調整する手間を省くことができる。
【００８９】
本実施形態において、電動工具用バッテリ８０が装着されるバッテリ装着部７０が本体部材１０に設けられる。発光状態制御部６２は、バッテリ装着部７０に装着されたバッテリの電力残量に基づいて発光状態を制御する。これにより、電動工具用バッテリ８０の残量が外部に効率的に通知される。
【００９０】
本実施形態において、バッテリ装着部７０に装着されるバッテリは、電動工具に装着可能な電動工具用バッテリ８０である。これにより、電動工具を使用する作業現場において、電動工具に用いられる電動工具用バッテリ８０を投光器１００Ａにも適用することができる。
【００９１】
本実施形態において、バッテリ装着部７０は、少なくとも２つの電動工具用バッテリ８０を装着可能である。これにより、発光部１２から光を射出するための電力を十分に確保できる。
【００９２】
本実施形態において、本体部材１０は、発光部１２を固定する放熱部材１９と、発光部１２の周囲に配置され発光部１２及び放熱部材１９を囲む側面（上面１４ａ、下面１４ｂ、右面１４ｃ、左面１４ｄ）を有するフロントカバー１４と、を有し、フロントカバー１４は、少なくとも２つの側面に開口部１４Ｋを有する。これにより、フロントカバー１４の１つの側面に設けられている開口部１４Ｋからフロントカバー１４の内部に異物が侵入しても、他の側面に設けられている開口部１４Ｋから排出される。
【００９３】
本実施形態において、本体部材１０は、フロントカバー１４との間で放熱部材１９を収容する第１空間Ｋ１を形成する第１壁部１５Ｓと、バッテリ装着部７０が配置される第２壁部１５Ｔと、第２壁部１５Ｔとの間で電動工具用バッテリ８０を収容する第２空間Ｋ２を形成するバッテリカバー１６とを有する。バッテリカバー１６は、第２空間Ｋ２に対する異物の侵入を規制可能である。
【００９４】
［第２実施形態］
第２実施形態について説明する。以下の説明において、上述の実施形態と同一又は同等の構成要素については同一の符号を付し、その説明を簡略又は省略する。
【００９５】
図１２は、本実施形態に係る投光器１００Ｂの一例を示す斜視図である。上述の実施形態と同様、投光器１００Ｂは、本体部材１０と、アーム２０と、連結機構３０と、操作装置ＨＤとを有する。本実施形態に係る投光器１００Ｂは、上述の実施形態で説明したハンドル１３に代えて、フック１３１を有する点で、上述の実施形態とは異なる。フック１３１は、本体部材１０に連結され棒状部材９１に掛けられる。
【００９６】
図１３は、本実施形態に係る投光器１００Ｂの使用態様を示す図である。図１３に示すように、投光器１００Ｂのアーム２０は、連結機構３０同士を結ぶ回動軸を中心に回動可能である。フック１３１が棒状部材９１に掛けられた状態において、アーム２０は、回転軸ＡＸを中心に回動して、フック１３１の先端部と連結される。アーム２０は、棒状部材９１を囲むようにフック１３１の先端に連結されている。本実施形態によれば、フック１３１の脱落が抑制される。
【００９７】
［第３実施形態］
第３実施形態について説明する。以下の説明において、上述の実施形態と同一又は同等の構成要素については同一の符号を付し、その説明を簡略又は省略する。
【００９８】
図１４は、本実施形態に係る投光器１００Ｃの一例を示す斜視図である。上述の実施液体と同様、投光器１００Ｃは、本体部材１０と、アーム２０と、連結機構３０と、操作装置ＨＤとを有する。本実施形態に係る投光器１００Ｃは、上述の実施形態で説明したハンドル１３に代えて、フック１３２を有する点で、上述の実施形態とは異なる。フック１３２は、棒状部材９１に吊り下げ可能である。フック１３２は、本体部材１０の両側方に１つずつ配置される。フック１３２は、前後方向に平行な回動軸を中心に回動可能に軸受部１３３に支持される。本体部材１０の右側部に配置されるフック１３２は、後方に曲げられている。本体部材１０の左側部に配置されるフック１３２は、前方に曲げられている。      
【００９９】
図１５は、本実施形態に係る投光器１００Ｃの使用態様を示す図である。図１５に示すように、左右のフック１３２が棒状部材９１から取り外された後、軸受部１３３よりも下方に回転されることで、投光器１００Ｂは、フック１３２を収容することができる。本実施形態によれば、フック１３２の脱落が抑制され、かつフック１３２が効率的に収容される。
【０１００】
［第４実施形態］
第４実施形態について説明する。以下の説明において、上述の実施形態と同一又は同等の構成要素については同一の符号を付し、その説明を簡略又は省略する。
【０１０１】
図１６は、本実施形態に係る投光器１００Ｄの一例を示す斜視図である。図１７は、本実施形態に係る投光器１００Ｄの一例を示す平面図である。図１６及び図１７に示すように、投光器１００Ｄは、本体部材１０と、本体部材１０に連結されるハンドル１３と、本体部材１０の側面に設けられた連結機構３０に連結され回転軸ＡＸを中心に回動可能なアーム２０と、連結機構３０に配置され発光部１２の発光状態の調整のために操作される操作装置ＨＤと、制御装置６０とを備える。
【０１０２】
＜本体部材＞
本体部材１０は、筐体１１と、筐体１１に支持される発光部１２と、発光部１２を支持する放熱部材１９とを有する。筐体１１は、フロントカバー１４と、バックカバー１５と、バッテリカバー１６とを有する。フロントカバー１４は、発光部１２及び放熱部材１９を囲む複数の側面を有する。複数の側面は、フロントカバー１４の上面１４ａ、下面１４ｂ、右面１４ｃ、及び左面１４ｄを含む。
【０１０３】
フロントカバー１４の上面１４ａ、下面１４ｂ、右面１４ｃ、及び左面１４ｄのそれぞれに通気口２０１（第１通気口）が設けられる。放熱部材１９の少なくとも一部は、通気口２０１から露出する。通気口２０１は、フロントカバー１４の内部空間と外部空間とを結ぶ。
【０１０４】
以下の説明において、上面１４ａ及び下面１４ｂのそれぞれに設けられる通気口２０１を適宜、縦通気口２０１Ａ、と称し、右面１４ｃ及び左面１４ｄのそれぞれに設けられる通気口２０１を適宜、横通気口２０１Ｂ、と称する。
【０１０５】
縦通気口２０１Ａは、左右方向に複数設けられる。１つの縦通気口２０１Ａは、前後方向に長い。下面１４ｂに設けられる縦通気口２０１Ａは、上面１４ａに設けられる縦通気口２０１Ａと同様である。
【０１０６】
横通気口２０１Ｂは、上下方向に複数設けられる。１つの横通気口２０１Ｂは、前後方向に長い。左面１４ｄに設けられる横通気口２０１Ｂは、右面１４ｃに設けられる横通気口２０１Ｂと同様である。
【０１０７】
発光部１２は、複数の光源１７と、複数の光源１７を支持する制御基板１８とを有する。制御基板１８は、光源１７を駆動する駆動回路及び駆動回路に接続される配線を有する。光源１７は、制御基板１８の前面に配置される。光源１７は、制御基板１８の前面に支持され、制御基板１８の前方に光を射出する。
【０１０８】
放熱部材１９は、光源１７から発生する熱を放出するヒートシンクである。放熱部材１９は、制御基板１８よりも熱伝導率の高い材料で形成される。放熱部材１９は、制御基板１８の後方に配置される。放熱部材１９は、制御基板１８の後方において、制御基板１８の後面に接触するように配置される。
【０１０９】
制御基板１８は、光源１７を支持する支持部材として機能する。放熱部材１９は、制御基板１８を介して光源１７を支持する支持部材として機能する。本実施形態において、光源１７を支持する支持部材は、制御基板１８と放熱部材１９とを含む。上述の実施形態と同様、本体部材１０の筐体１１は、光源１７を支持する支持部材を支持する。
【０１１０】
＜ハンドル＞
ハンドル１３は、本体部材１０に取り付けられる。上述の実施形態と同様、ハンドル１３は、軸部１３ｂを介してバックカバー１５に連結される一対の基部１３ａと、一対の基部１３ａを結ぶ把持部１３ｃとを有する。ハンドル１３は、軸部１３ｂを中心に回動可能である。軸部１３ｂを中心に回動することにより、ハンドル１３は、収容位置Ｐ１と起立位置Ｐ２（図２１等参照）との間を移動可能である。
【０１１１】
ハンドル１３が収容位置Ｐ１に配置された状態において、ハンドル１３は、バッテリカバー１６の後方（開方向）への移動を規制する。ハンドル１３が起立位置Ｐ２に配置された状態において、作業者は、ハンドル１３を円滑に把持することができる。
【０１１２】
＜アーム＞
アーム２０は、本体部材１０の側面に設けられた連結機構３０に連結され回転軸ＡＸを中心に回動可能である。アーム２０は、第１連結機構３１を介して本体部材１０の第１側面１５Ｒに連結される第１アーム２１０と、第２連結機構３２を介して本体部材１０の第２側面１５Ｌに連結される第２アーム２２０と、第１アーム２１０と第２アーム２２０とを連結するロッド２３０と含む。
【０１１３】
第１アーム２１０は、第１連結機構３１の周囲に配置され、第１側面１５Ｒに対向するベース部２４０と、ベース部２４０に連結され接地部２５０を有する環状部２４２と、環状部２４２の内側に配置されるプレート部２４４とを有する。ベース部２４０と、環状部２４２と、プレート部２４４とは、一体である。
【０１１４】
ベース部２４０は、第１連結機構３１を介してバックカバー１５の第１側面１５Ｒに連結される。ベース部２４０は、プレート状であり、第１側面１５Ｒの少なくとも一部に対向する。ベース部２４０は、第１連結機構３１の周囲に配置される。
【０１１５】
環状部２４２は、ベース部２４０の前部から第１側面１５Ｒに沿って前方かつ下方に延びる第１節部２４２Ａと、ベース部２４０の後部から第１側面１５Ｒに沿って後方かつ下方に延びる第２節部２４２Ｂと、第１節部２４２Ａの下端部と第２節部２４２Ｂの下端部とを結ぶ第３節部２４２Ｃとを有する。
【０１１６】
接地部２５０は、第３節部２４２Ｃの下面に設けられる。接地部２５０は、例えばゴム製のパッド部材を含み、第３節部２４２Ｃの下面において前後方向に２つ設けられる。
【０１１７】
プレート部２４４は、環状部２４２の内側に配置される。第１アーム２１０のプレート部２４４は、右方を向く外面と、左方を向く内面とを有する。プレート部２４４の内面に複数のリブが設けられる。また、プレート部２４４の内面に、ロッド２３０が連結される連結部２６０が設けられる。
【０１１８】
第２アーム２２０は、第１アーム２１０と同様の構造であるため、第２アーム２２０の説明は省略する。
【０１１９】
ロッド２３０は、第１アーム２１０と第２アーム２２０とを連結する。ロッド２３０の中心軸と回転軸ＡＸとは、実質的に平行である。ロッド２３０の右端部は、第１アーム２１０の連結部２６０に連結される。ロッド２３０の左端部は、第２アーム２２０の連結部２６０に連結される。本実施形態において、ロッド２３０は、２つ設けられる。第１アーム２１０と第２アーム２２０とは、ロッド２３０を介して連結されている。そのため、第１アーム２１０と第２アーム２２０とは、回転軸ＡＸを中心に一緒に回動可能である。
【０１２０】
＜第１連結機構及び操作装置＞
上述の実施形態と同様、投光器１００Ｄは、第１連結機構３１及び操作装置ＨＤを有する。投光器１００Ｄの第１連結機構３１及び操作装置ＨＤは、上述した投光器１００Ａの第１連結機構３１及び操作装置ＨＤと同様の構造であるため、投光器１００Ｄの第１連結機構３１及び操作装置ＨＤの説明は省略する。
【０１２１】
＜第２連結機構＞
図１８は、本実施形態に係る第２連結機構３２を示す斜視図である。図１８に示すように、第２アーム２２０のベース部２４０は、第２連結機構３２に連結される。ベース部２４０は、カム２２ｃを有する。カム２２ｃは、アーム２０の回動を規制する。カム２２ｃは、ベース部２４０の右側の先端面２２ｄに設けられる。なお、図１８は、ベース部２４０を先端面２２ｄ側から見た図を併せて示す。カム２２ｃは、先端面２２ｄにおいて回転軸ＡＸの周囲に配置された複数の突起部を有する。
【０１２２】
第２連結機構３２は、アーム２０を本体部材１０に固定する固定機構３５を有する。固定機構３５は、フランジ部３２ａと、円柱部３２ｂと、カム３２ｃと、ネジ部３２ｄと、固定部材３２ｅとを有する。フランジ部３２ａは、第２側面１５Ｌに固定される。円柱部３２ｂは、フランジ部３２ａから左方に突出する。円柱部３２ｂの中心軸と回転軸ＡＸとは一致する。
【０１２３】
カム３２ｃは、アーム２０の回動を規制する。カム３２ｃは、円柱部３２ｂの先端面３２ｆに設けられる。カム３２ｃは、先端面３２ｆにおいて回転軸ＡＸの周囲に配置された複数の突起部を有する。
【０１２４】
ネジ部３２ｄは、円柱部３２ｂの先端面３２ｆから左方に突出する。ネジ部３２ｄの左端部にネジ山が形成される。
【０１２５】
固定部材３２ｅは、ネジ孔３２ｇを有する。ネジ部３２ｄは、ネジ孔３２ｇに挿入され、ネジ孔３２ｇと結合される。固定部材３２ｅは、ベース部２４０の左側からネジ部３２ｄに結合される。固定部材３２ｅのネジ孔３２ｇにネジ部３２ｄの左端部が挿入され、固定部材３２ｅが回転軸ＡＸを中心とする一方向に回転されることにより、ベース部２４０と円柱部３２ｂとが固定される。また、固定部材３２ｅが回転軸ＡＸを中心とする他方向に回転されることにより、ベース部２４０と円柱部３２ｂとの固定が解除される。
【０１２６】
ベース部２４０と円柱部３２ｂとが固定された状態において、ベース部２４０のカム２２ｃと第２連結機構３２のカム３２ｃとが結合される。これにより、回転軸ＡＸを中心とするベース部２４０の回転が規制される。
【０１２７】
ベース部２４０と円柱部３２ｂとの固定が解除された状態において、ベース部２４０のカム２２ｃと第２連結機構３２のカム３２ｃとの結合が解除される。これにより、ベース部２４０は、回転軸ＡＸを中心に回転することができる。また、回転軸ＡＸを中心とする回転方向におけるアーム２０の位置を調整することができる。
【０１２８】
＜放熱部材＞
図１９は、本実施形態に係る放熱部材１９を示す斜視図である。図１９は、フロントカバー１４に収容された放熱部材１９を後方から見たときの状態を示す。図１９に示すように、放熱部材１９は、支持板１９ａと、フィン１９ｆとを有する。支持板１９ａは、制御基板１８を支持する。制御基板１８は、支持板１９ａに接触する。
【０１２９】
フィン１９ｆは、支持板１９ａの後面に支持され、支持板１９ａから後方に突出する。フィン１９ｆは、上下方向に延在するプレート状であり、左右方向に間隔をあけて複数設けられる。
【０１３０】
本実施形態において、フィン１９ｆは、金属製のプレートの２箇所を折り曲げることによって形成される。図１９に示す例において、フィン１９ｆは、３０枚設けられる。１５枚の金属製のプレートが折り曲げられることにより、３０枚のフィン１９ｆが形成される。
【０１３１】
複数のフィン１９ｆのそれぞれは、左右方向に貫通する貫通孔１９ｈを有する。１枚のフィン１９ｆにおいて、貫通孔１９ｈは、上下方向に間隔をあけて複数設けられる。図１９に示す例において、貫通孔１９ｈは、７つ設けられる。
【０１３２】
フロントカバー１４は、発光部１２及び放熱部材１９を囲むように配置される。縦通気口２０１Ａは、上下方向においてフィン１９ｆの一方側（上側）及び他方側（下側）のそれぞれに設けられる。横通気口２０１Ｂは、左右方向においてフィン１９ｆの一方側（右側）及び他方側（左側）のそれぞれに設けられる。
【０１３３】
＜バッテリ装着部＞
図２０及び図２１のそれぞれは、本実施形態に係る投光器１００Ｄを後方から見た状態を示す斜視図であり、バッテリカバー１６を後方（開方向）へ回動させた状態を示す。本体部材１０は、電動工具用バッテリ８０が装着されるバッテリ装着部７０を有する。バッテリ装着部７０は、バッテリカバー１６で覆われる。バッテリ装着部７０に電動工具用バッテリ８０を装着する場合又はバッテリ装着部７０から電動工具用バッテリ８０を外す場合、バッテリカバー１６が後方に回動される。図２０は、バッテリ装着部７０から電動工具用バッテリ８０が外されている状態を示す。図２１は、バッテリ装着部７０に電動工具用バッテリ８０を装着されている状態を示す。
【０１３４】
バッテリカバー１６を後方へ回動させる場合、ハンドル１３が起立位置Ｐ２に配置される。ハンドル１３が起立位置Ｐ２に配置された後、ラッチ１６ａが外され、バッテリカバー１６が後方に回動されることにより、図２０に示すように、バッテリ装着部７０が露出する。また、バッテリカバー１６が前方（閉方向）に回動され、ラッチ１６ａが段部１５ａ上に配置されることにより、バッテリ装着部７０は、バッテリカバー１６で覆われる。
【０１３５】
バックカバー１５は、第２壁部１５Ｔを有する。バッテリ装着部７０は、第２壁部１５Ｔに配置される。バッテリ装着部７０は、第２壁部１５Ｔにおいて２つ設けられる。バッテリ装着部７０は、電動工具用バッテリ８０をガイドするガイド部７１を有する。電動工具用バッテリ８０は、ガイド部７１にガイドされながらバッテリ装着部７０に装着される。光源１７を含む発光部１２、後述するファン２００、及び制御装置６０のそれぞれは、電動工具用バッテリ８０から供給された電力に基づいて駆動する。
【０１３６】
＜電源配線＞
図２２は、本実施形態に係る投光器１００Ｄを後方から見た状態を示す斜視図であり、接続部カバー１５ｇが開いている状態を示す。図２２に示すように、バックカバー１５の後面１５Ｂにコネクタ接続部１５ｐが設けられる。上述の実施形態と同様、コネクタ接続部１５ｐは、電源配線１５ｒのコネクタ１５ｔと接続される。接続部カバー１５ｇは、コネクタ接続部１５ｐを覆うことができる。
【０１３７】
＜ファン＞
図２３及び図２４は、本実施形態に係る投光器１００Ｄを示す断面図である。図２５は、本実施形態に係る投光器１００Ｄを示す斜視図である。図２３は、支持板１９ａの後面と直交する前後軸及び支持板１９ａの後面に平行な上下軸を含む第１所定面と平行な断面を示す。図２４は、支持板１９ａの後面と直交する前後軸及び支持板１９ａの後面に平行な左右軸を含む第２所定面と平行な断面を示す。図２５は、投光器１００Ｄの一部を破断した状態を示す。
【０１３８】
投光器１００Ｄは、放熱部材１９の表面に気流を生成して光源１７を冷却するファン２００を備える。ファン２００は、放熱部材１９の後方において、放熱部材１９と対向する位置に配置される。
【０１３９】
筐体１１は、光源１７及び制御基板１８を含む発光部１２、放熱部材１９、ファン２００、及び電動工具用バッテリ８０が収容される内部空間を有する。筐体１１の内部空間は、発光部１２及び放熱部材１９が収容される第１内部空間ＳＰ１と、ファン２００が配置される第２内部空間ＳＰ２とに区画される。第１内部空間ＳＰ１と第２内部空間ＳＰ２とは、バックカバー１５の第１壁部１５Ｓによって区画される。
【０１４０】
第１内部空間ＳＰ１は、フロントカバー１４とバックカバー１５の第１壁部１５Ｓとによって規定される。第２内部空間ＳＰ２は、バックカバー１５の第１壁部１５Ｓと第２壁部１５Ｔとによって規定される。
【０１４１】
第１壁部１５Ｓは、第１内部空間ＳＰ１と第２内部空間ＳＰ２とを結ぶ開口２０３を有する。ファン２００は、開口２０３を介して、放熱部材１９と対向する。
【０１４２】
通気口２０１は、第１内部空間ＳＰ１と筐体１１の外部空間とを結ぶように設けられる。また、筐体１１は、第２内部空間ＳＰ２と筐体１１の外部空間とを結ぶ通気口２０２（第２通気口）を有する。
【０１４３】
通気口２０２は、バックカバー１５に設けられる。通気口２０２は、ファン２００の左方に設けられる。通気口２０２は、上下方向に複数設けられる。１つの通気口２０２は、前後方向に長い。なお、通気口２０２は、ファン２００の右方に設けられてもよいし、ファン２００の上方に設けられてもよいし、ファン２００の下方に設けられてもよい。
【０１４４】
投光器１００Ｄは、制御基板１８の温度を検出する温度センサ２０４を有する。温度センサ２０４の検出信号は、制御装置６０に出力される。温度センサ２０４の検出信号は、温度センサ２０４により検出された制御基板１８の温度の検出値を示す。
【０１４５】
＜制御装置＞
図２６は、本実施形態に係る制御装置６０を示す機能ブロック図である。制御装置６０は、入力部６１と、発光状態制御部６２と、記憶部６３と、ファン制御部６７と、を有する。
【０１４６】
入力部６１は、入力信号を取得する。入力部６１に取得される入力信号は、変位センサ４３の検出信号、回転センサ５３の検出信号、電動工具用バッテリ８０の残量信号、及び温度センサ２０４の検出信号を含む。
【０１４７】
発光状態制御部６２は、操作装置ＨＤの操作量に基づいて、光源１７の発光状態を制御する。
【０１４８】
第１発光状態制御部６４は、スイッチ４１の操作量（変位量）を検出した変位センサ４３の検出信号に基づいて、光源１７の発光状態を制御する。第１発光状態制御部６４による発光状態の制御は、光源１７を点灯状態と点滅状態と消灯状態との間で切り換える制御を含む。
【０１４９】
第２発光状態制御部６５は、ダイヤル５１の操作量（回転量）を検出した回転センサ５３の検出信号に基づいて、光源１７の発光状態を制御する。第２発光状態制御部６５による発光状態の制御は、光源１７から射出される光の照度の制御を含む。
【０１５０】
ファン制御部６７は、ファン２００を制御する制御信号を出力する。ファン制御部６７によるファン２００の制御は、ファン２００を駆動状態と停止状態との間で切り換える制御を含む。また、ファン制御部６７によるファン２００の制御は、ファン２００の回転数の制御を含む。ファン２００は、ファンモータと、ファンモータの駆動により回転する羽根とを有する。ファン制御部６７は、ファンモータに制御信号を出力して、ファン２００を制御する。
【０１５１】
ファン制御部６７は、温度センサ２０４の検出信号に基づいて、ファン２００の駆動状態を制御する。記憶部６３は、制御基板１８の温度に係る温度閾値を記憶する温度閾値記憶部６８を有する。温度閾値は予め設定され、温度閾値記憶部６８に記憶される。ファン制御部６７は、温度センサ２０４によって検出された制御基板１８の温度と温度閾値とを比較して、制御基板１８の温度が温度閾値以上であると判定したときに、ファン２００を駆動し、制御基板１８の温度が温度閾値未満であると判定したときに、ファン２００を停止する。
【０１５２】
ファン制御部６７は、温度センサ２０４によって検出された制御基板１８の温度に基づいて、ファン２００の回転数を制御してもよい。ファン制御部６７は、制御基板１８の温度が高くなるほどファン２００の回転数を高くし、制御基板１８の温度が低くなるほどファン２００の回転数を低くしてもよい。
【０１５３】
ファン制御部６７は、操作装置ＨＤの操作量に基づいて、ファン２００の駆動状態を制御してもよい。例えば、ファン制御部６７は、スイッチ４１の操作量（変位量）を検出した変位センサ４３の検出信号に基づいて、光源１７が点灯状態であると判定したときに、ファン２００を駆動し、光源１７が消灯状態であると判定したときに、ファン２００を停止してもよい。また、ファン制御部６７は、ダイヤル５１の操作量（回転量）を検出した回転センサ５３の検出信号に基づいて、光源１７から射出される光の照度が高くなるほどファン２００の回転数を高くし、光源１７から射出される光の照度が低くなるほどファン２００の回転数を低くしてもよい。
【０１５４】
ファン制御部６７は、電動工具用バッテリ８０から出力される残量信号に基づいて、ファン２００の駆動状態を制御してもよい。例えば、ファン制御部６７は、制御基板１８の温度が温度閾値以上である状態において、電動工具用バッテリ８０の電力残量が残量閾値以上であると判定したときに、ファン２００を駆動し、制御基板１８の温度が温度閾値以上であっても、電動工具用バッテリ８０の電力残量が残量閾値未満であると判定したときに、ファン２００を停止してもよい。
【０１５５】
また、ファン制御部６７は、制御基板１８の温度が温度閾値以上である状態において、電動工具用バッテリ８０の電力残量が多いほどファン２００の回転数を高くし、電動工具用バッテリ８０の電力残量が少ないほどファン２００の回転数を低くしてもよい。
【０１５６】
＜作用＞
次に、本実施形態に係るファン２００の作用について説明する。図２７は、本実施形態に係るファン２００の作用を示す図であり、投光器１００Ｄの一部を模式的に示す断面図である。図２７（Ａ）は、支持板１９ａの後面と直交する前後軸及び支持板１９ａの後面に平行な左右軸を含む第２所定面と平行な断面を示す。図２７（Ｂ）は、支持板１９ａの後面と直交する前後軸及び支持板１９ａの後面に平行な上下軸を含む第１所定面と平行な断面を示す。
【０１５７】
光源１７が駆動されると、光源１７は発熱する。光源１７の発熱に伴って、制御基板１８の温度が上昇する。制御基板１８の温度は、温度センサ２０４により検出される。温度センサ２０４は、制御基板１８の温度を示す検出信号を制御装置６０に出力する。
【０１５８】
入力部６１は、温度センサ２０４の検出信号を取得する。ファン制御部６７は、温度センサ２０４によって検出された制御基板１８の温度と、温度閾値記憶部６８に記憶されている温度閾値とを比較して、制御基板１８の温度が温度閾値以上であると判定したときに、ファン２００の駆動を開始する。
【０１５９】
本実施形態において、ファン２００は、放熱部材１９に気体を供給する。ファン２００が駆動すると、筐体１１の外部空間の気体が、通気口２０２を介して第２内部空間ＳＰ２に流入する。ファン２００は、第１壁部１５Ｓの開口２０３を介して、放熱部材１９に気体を供給する。
【０１６０】
ファン２００の駆動により、第２内部空間ＳＰ２の気体の少なくとも一部は、開口２０３を介して第１内部空間ＳＰ１に流入する。ファン２００の駆動により、放熱部材１９の表面の少なくとも一部に気流が生成される。放熱部材１９の表面に接触した気体は、放熱部材１９から熱を奪う。
【０１６１】
図２７（Ａ）に示すように、複数のフィン１９ｆが左右方向に配置される。本実施形態においては、複数のフィン１９ｆのそれぞれに貫通孔１９ｈが設けられる。そのため、ファン２００によって放熱部材１９に供給された気体は、貫通孔１９ｈを介して、左右方向に円滑に流れることができる。
【０１６２】
左右方向においてフィン１９ｆの一方側（右側）及び他方側（左側）のそれぞれに横通気口２０１Ｂが設けられる。貫通孔１９ｈを介して左右方向に流れた気体は、横通気口２０１Ｂを介して、筐体１１の外部空間に流出することができる。
【０１６３】
また、図２７（Ｂ）に示すように、フィン１９ｆは、上下方向に延在するプレート状である。そのため、ファン２００によって放熱部材１９に供給された気体は、フィン１９ｆの表面に沿って、上下方向に円滑に流れることができる。
【０１６４】
上下方向においてフィン１９ｆの一方側（上側）及び他方側（下側）のそれぞれに縦通気口２０１Ａが設けられる。フィン１９ｆの表面に沿って上下方向に流れた気体は、縦通気口２０１Ａを介して、筐体１１の外部空間に流出することができる。
【０１６５】
＜効果＞
以上説明したように、本実施形態によれば、ファン２００により、光源１７を支持する放熱部材１９の表面に気流を生成することができる。放熱部材１９の表面に接触しながら流れる気体は、放熱部材１９から熱を奪う。そのため、光源１７の過度な温度上昇が抑制される。
【０１６６】
光源１７は、制御基板１８の前面に支持され、制御基板１８の前方に光を射出する。ファン２００は、放熱部材１９の後方において、放熱部材１９と対向する位置に配置される。光源１７から射出される光の光路にファン２００が配置されないので、投光器１００Ｄは照明対象を円滑に照明することができる。また、ファン２００は、放熱部材１９と対向する位置に配置されるので、放熱部材１９に気体を十分に供給することができる。
【０１６７】
筐体１１の内部空間は、第１壁部１５Ｓにより第１内部空間ＳＰ１と第２内部空間ＳＰ２とに区画される。光源１７、制御基板１８、及び放熱部材１９は、第１内部空間ＳＰ１に配置され、ファン２００は、第２内部空間ＳＰ２に配置される。第１内部空間ＳＰ１と第２内部空間ＳＰ２とは、開口２０３のみによって接続される。第１内部空間ＳＰ１と第２内部空間ＳＰ２とが区画されることにより、例えば第２内部空間ＳＰ２に侵入した異物が第１内部空間ＳＰ１に侵入することが抑制される。また、第１内部空間ＳＰ１がシール部材によりシールされることにより、第１内部空間ＳＰ１に異物が侵入することが効果的に抑制される。
【０１６８】
ファン２００が配置される第２内部空間ＳＰ２は、通気口２０２を介して筐体１１の外部空間に接続される。これにより、ファン２００が駆動したとき、外部空間の気体が通気口２０２を介して第２内部空間ＳＰ２に流入するので、ファン２００は、放熱部材１９に気体を円滑に供給することができる。
【０１６９】
光源１７、制御基板１８、及び放熱部材１９が配置される第１内部空間ＳＰ１は、通気口２０１を介して筐体１１の外部空間に接続される。これにより、放熱部材１９から熱を奪った気体は、通気口２０１を介して筐体１１の外部空間に流出することができる。放熱部材１９との接触により加温された気体が通気口２０１を介して筐体１１の外部空間に円滑に排出されるので、光源１７の冷却効率の低下が抑制される。
【０１７０】
フィン１９ｆは、上下方向に延在するプレート状である。そのため、ファン２００によって放熱部材１９に供給された気体は、フィン１９ｆの表面に沿って、上下方向に円滑に流れることができる。また、フィン１９ｆの上側及び下側のそれぞれに縦通気口２０１Ａが設けられる。フィン１９ｆの表面に沿って上下方向に流れた気体は、縦通気口２０１Ａを介して、筐体１１の外部空間に円滑に流出することができる。
【０１７１】
また、フィン１９ｆは、左右方向に貫通する貫通孔１９ｈを有する。そのため、ファン２００によって放熱部材１９に供給された気体は、貫通孔１９ｈを介して、左右方向に円滑に流れることができる。また、フィン１９ｆの右側及び左側のそれぞれに横通気口２０１Ｂが設けられる。貫通孔１９ｈを介して左右方向に流れた気体は、横通気口２０１Ｂを介して、筐体１１の外部空間に円滑に流出することができる。
【０１７２】
本実施形態においては、制御基板１８の温度が温度センサ２０４によって検出され、ファン２００の駆動状態は、温度センサ２０４の検出信号に基づいて制御される。光源１７が過度に温度上昇してなく、光源１７を冷却する必要が無い状況においては、ファン２００を駆動しないようにすることにより、ファン２００の消費電力が抑制される。
【０１７３】
光源１７の発光状態を調整する操作装置ＨＤの操作量に基づいて、ファン２００の駆動状態が制御されてもよい。光源１７の発光状態によっては、光源１７が過度に温度上昇しないため、光源１７を冷却する必要が生じない場合がある。光源１７を冷却する必要が無い状況においては、ファン２００を駆動しないようにすることにより、ファン２００の消費電力が抑制される。
【０１７４】
光源１７を冷却する必要が有る状況においても、電動工具用バッテリ８０の電力残量が少ないときには、ファン２００の回転数を低くしたり、ファン２００を停止したりすることにより、電動工具用バッテリ８０の消費電力を抑制することができる。
【０１７５】
なお、本実施形態において、ファン２００は、放熱部材１９に気体を供給することとした。ファン２００は、放熱部材１９から気体を回収してもよい。すなわち、ファン２００は、放熱部材１９の周囲の気体を吸い込んでもよい。ファン２００が気体を吸い込むことによっても、放熱部材１９の表面に気流が生成されるので、光源１７を冷却することができる。
【０１７６】
なお、本実施形態において、放熱部材１９は省略されてもよい。放熱部材１９が省略された場合でも、ファン２００により制御基板１８の表面に気流が生成されることにより、光源１７を効果的に冷却することができる。
【０１７７】
［他の実施形態］
上述の実施形態においては、スイッチ機構４０及びダイヤル機構５０が連結機構３０の第１連結機構３１に配置された構成を例に挙げて説明したが、これに限定されない。例えば、スイッチ機構４０及びダイヤル機構５０の一方が第１連結機構３１に配置され、他方が第２連結機構３２に配置された構成であってもよい。
【符号の説明】
【０１７８】
１０…本体部材、１１…筐体、１２…発光部、１３…ハンドル、１３ａ…基部、１３ｂ…軸部、１３ｃ…把持部、１４…フロントカバー、１４ａ…上面、１４ｂ…下面、１４ｃ…右面、１４ｄ…左面、１４Ｋ…開口部、１４Ｌ…レンズ、１５…バックカバー、１５Ｂ…後面、１５Ｌ…第２側面、１５Ｒ…第１側面、１５Ｓ…第１壁部、１５Ｔ…第２壁部、１５ａ…段部、１５ｃ…挿入孔、１５ｄ…軸受、１５ｅ…壁部、１５ｆ…封止部材、１５ｇ…接続部カバー、１５ｐ…コネクタ接続部、１５ｒ…電源配線、１５ｔ…コネクタ、１５ｕ…ネジ部材、１６…バッテリカバー、１６ａ…ラッチ、１７…光源、１８…制御基板、１９…放熱部材、１９ａ…支持板、１９ｂ…フィン、１９ｃ…フィン、１９ｄ…固定部材挿入部、１９ｅ…挿通部、１９ｆ…フィン、１９ｈ…貫通孔、２０…アーム、２１…第１基部、２２…第２基部、２２ａ…円柱部、２２ｂ…棒状部、２２ｃ…カム、２２ｄ…先端面、２２ｅ…貫通孔、２３…環状部、２３ａ…第１節部、２３ｂ…第２節部、２３ｃ…第３節部、２３ｄ…配線巻き部、２３ｅ…接続部、２４…湾曲部、２５…湾曲部、２６…湾曲部、２７…湾曲部、３０…連結機構、３１…第１連結機構、３１ａ…フランジ部、３１ｂ…円筒部、３２…第２連結機構、３２ａ…フランジ部、３２ｂ…円柱部、３２ｃ…カム、３２ｄ…ネジ部、３２ｅ…固定部材、３２ｆ…先端面、３２ｇ…ネジ孔、３５…固定機構、４０…スイッチ機構、４１…スイッチ、４２…移動部材、４３…変位センサ、５０…ダイヤル機構、５１…ダイヤル、５２…回転部材、５３…回転センサ、６０…制御装置、６１…入力部、６２…発光状態制御部、６３…記憶部、６４…第１発光状態制御部、６５…第２発光状態制御部、６６…照度データ記憶部、６７…ファン制御部、６８…温度閾値記憶部、７０…バッテリ装着部、７１…ガイド部、８０…電動工具用バッテリ、９０…三脚スタンド、９１…棒状部材、１００Ａ…投光器、１００Ｂ…投光器、１００Ｃ…投光器、１００Ｄ…投光器、１３１…フック、１３２…フック、１３３…軸受部、２００…ファン、２０１…通気口（第１通気口）、２０１Ａ…縦通気口（第１通気口）、２０１Ｂ…横通気口、２０２…通気口（第２通気口）、２０３…開口、２０４…温度センサ、２１０…第１アーム、２２０…第２アーム、２３０…ロッド、２４０…ベース部、２４２…環状部、２４２Ａ…第１節部、２４２Ｂ…第２節部、２４２Ｃ…第３節部、２４４…プレート部、２５０…接地部、２６０…連結部、ＡＸ…回転軸、Ｆ…照度基準面、Ｋ１…第１空間、Ｋ２…第２空間、Ｐ１…収容位置、Ｐ２…起立位置、ＨＤ…操作装置。
【図１】
2019017249.tif 000003
【図２】
2019017249.tif 000004
【図３】
2019017249.tif 000005
【図４】
2019017249.tif 000006
【図５】
2019017249.tif 000007
【図６】
2019017249.tif 000008
【図７】
2019017249.tif 000009
【図８】
2019017249.tif 000010
【図９】
2019017249.tif 000011
【図１０】
2019017249.tif 000012
【図１１】
2019017249.tif 000013
【図１２】
2019017249.tif 000014
【図１３】
2019017249.tif 000015
【図１４】
2019017249.tif 000016
【図１５】
2019017249.tif 000017
【図１６】
2019017249.tif 000018
【図１７】
2019017249.tif 000019
【図１８】
2019017249.tif 000020
【図１９】
2019017249.tif 000021
【図２０】
2019017249.tif 000022
【図２１】
2019017249.tif 000023
【図２２】
2019017249.tif 000024
【図２３】
2019017249.tif 000025
【図２４】
2019017249.tif 000026
【図２５】
2019017249.tif 000027
【図２６】
2019017249.tif 000028
【図２７】
2019017249.tif 000029
【国際調査報告】
2019017249.tif 000030
2019017249.tif 000031
2019017249.tif 000032
2019017249.tif 000033
2019017249.tif 000034
2019017249.tif 000035